(57)【要約】【課題】パーティションボードなどの壁部材の頂部に簡単に取り付けでき、大きな荷重が加わっても外れない吊下具を提供する。【解決手段】  被吊下物を吊り下げるためのフック２を有するＬ字型のベースフレーム１０と、ベースフレーム１０の一方の辺に沿ってスライド自在に連結されるＬ字型のスライドフレーム２０とを連結してコ字型に形成し、スライドフレーム２０のスライド方向に沿って平行にベースフレーム１０とスライドフレーム２０との面間距離を調節するための調節ネジ３０を設ける。【選択図】図１
2008048814.tif 000002
【特許請求の範囲】
【請求項１】
板状の壁部材の頂部から両側部にかけて跨るように設置される吊下具であって、被吊下物を吊り下げるためのフックを有するフック支持部と、同フック支持部の一端から直角に折り曲げられる基部とを有するＬ字型のベースフレームと、上記ベースフレームの基部に沿ってスライド自在に連結されるＬ字型のスライドフレームとを有し、上記スライドフレームは、長さの異なる２つのスライドレールを備え、上記頂部の幅に応じていずれか一方の上記スライドレールを選択的に上記ベースフレームに取り付ける吊下具において、
上記ベースフレームには、上記ベースフレームの上記側部に対向する面と、上記スライドフレームの上記側部に対向する面との間の距離を調節するための調節ネジ、または、上記調節ネジが螺合されるネジ孔のいずれか一方が設けられており、上記スライドフレームには、上記調節ネジまたは上記ネジ孔のいずれか他方が上記スライドレールの移動方向に沿って平行に設けられていることを特徴とする吊下具。
【請求項２】
上記調節ネジは、指などで操作するためのツマミ部を有し、上記ツマミ部は、上記ベースフレームのフック支持部に設けられていることを特徴とする請求項１に記載の吊下具。
【請求項３】
一方の上記スライドフレームが上記ベースフレームに差し込まれている際に、他方の上記スライドフレームを覆い隠すためのカバーを備えていることを特徴とする請求項１に記載の吊下具。
【請求項４】
板状の壁部材の頂部から両側部にかけて跨るように設置される吊下具であって、被吊下物を吊り下げるためのフックを有するフック支持部と、同フック支持部の一端から直角に折り曲げられる基部とを有するＬ字型のベースフレームと、上記ベースフレームの基部に沿ってスライド自在に連結されるＬ字型のスライドフレームとを有し、上記スライドフレームは、長さの異なる２本のスライドレールを備え、上記頂部の幅に応じていずれか一方の上記スライドレールを選択的に上記ベースフレームに取り付ける吊下具において、
上記壁部材の上記頂部に対向する面および／または上記側部に対向する面には、クッション性を有する緩衝材が設けられていることを特徴とする吊下具。
【発明の詳細な説明】
【技術分野】
【０００１】
本発明は、パーティションボードなどの壁部材の頂部から両側部にかけて跨ぐように取り付けられる吊下具に関し、さらに詳しく言えば、大きな荷重を加えても壁から外れない吊下具に関する。
【背景技術】
【０００２】
パーティションボード（仕切り壁）に物を吊り下げる際、例えば特許文献１に示すような専用の吊下具が用いられる。この吊下具は、吊下用のフックを有するＬ字型のベースフレームと、ベースフレームの一方の辺に沿ってスライド自在に連結されるＬ字型のスライドフレームとをコ字型に連結して、パーティションボードの頂部から両側部にかけて挟んで取り付けるようになっている。
【０００３】
通常、この種の吊下具は、ベースフレームに対してスライドフレームが任意の位置でスライド固定できるようになっており、パーティションボードの頂部の厚さに応じて、自在に幅が変えられるようになっている。
【０００４】
また、この吊下具は、頂部の幅がスライドフレームのスライド幅よりも大きい場合を考慮して、スライドフレームには長さの異なる長尺と短尺２つのスライドレールが設けられている。これによれば、スライドレールを被取付部位の取付幅に応じて選択的に切り替えることにより、幅の広いパーティションボードにも取り付けることができる。
【０００５】
しかしながら、この種の吊下具には次のような問題があった。すなわち、特許文献１に記載の吊下具は、ベースフレームとスライドフレームの位置を固定するための固定ネジが吊下具の上面側に設けられているため、背の高いパーティションボードの頂部に取り付けた場合、位置調節がしにくい。
【０００６】
また、特許文献１の調節ネジは、ネジの締め付け方向がスライドフレームのスライド方向に対して直交しているため、単にスライドフレームをベースフレームに固定することしかできず、ベースフレームとスライドフレームとでパーティションボードを強固に挟むことができない。
【０００７】
また別の問題として、分割されたパーツを連結して形成された吊下具は、フックに大きな荷重が加わると、ジョイント部に応力が集中するため、ジョイント部付近がくの字に折れ曲がって変形し、被取付部から脱落するおそれがある。また、場合によっては、ジョイント部が破損してしまうおそれもある。
【０００８】
【特許文献１】特開平７−６７７６２号公報
【発明の開示】
【発明が解決しようとする課題】
【０００９】
そこで、本発明は上述した課題を解決するため、被取付部に強固に取り付けることができ、大きな荷重が加わっても外れない吊下具を提供することにある。
【課題を解決するための手段】
【００１０】
上述した課題を解決するため、本発明は以下に示すいくつかの特徴を備えている。請求項１に記載の発明は、板状の壁部材の頂部から両側部にかけて跨るように設置される吊下具であって、被吊下物を吊り下げるためのフックを有するフック支持部と、同フック支持部の一端から直角に折り曲げられる基部とを有するＬ字型のベースフレームと、上記ベースフレームの基部に沿ってスライド自在に連結されるＬ字型のスライドフレームとを有し、上記スライドフレームは、長さの異なる２つのスライドレールを備え、上記頂部の幅に応じていずれか一方の上記スライドレールを選択的に上記ベースフレームに取り付ける吊下具において、上記ベースフレームには、上記ベースフレームの上記側部に対向する面と、上記スライドフレームの上記側部に対向する面との間の距離を調節するための調節ネジ、または、上記調節ネジが螺合されるネジ孔のいずれか一方が設けられており、上記スライドフレームには、上記調節ネジまたは上記ネジ孔のいずれか他方が上記スライドレールの移動方向に沿って平行に設けられていることを特徴としている。
【００１１】
請求項２に記載の発明は、上記請求項１において、上記調節ネジは、指などで操作するためのツマミ部を有し、上記ツマミ部は、上記ベースフレームのフック支持部に設けられていることを特徴としている。
【００１２】
請求項３に記載の発明は、上記請求項１において、一方の上記スライドフレームが上記ベースフレームに差し込まれている際に、他方の上記スライドフレームを覆い隠すためのカバーを備えていることを特徴としている。
【００１３】
請求項４に記載の発明は、板状の壁部材の頂部から両側部にかけて跨るように設置される吊下具であって、被吊下物を吊り下げるためのフックを有するフック支持部と、同フック支持部の一端から直角に折り曲げられる基部とを有するＬ字型のベースフレームと、上記ベースフレームの基部に沿ってスライド自在に連結されるＬ字型のスライドフレームとを有し、上記スライドフレームは、長さの異なる２本のスライドレールを備え、上記頂部の幅に応じていずれか一方の上記スライドレールを選択的に上記ベースフレームに取り付ける吊下具において、上記壁部材の上記頂部に対向する面および／または上記側部に対向する面には、クッション性を有する緩衝材が設けられていることを特徴としている。
【発明の効果】
【００１４】
請求項１に記載の発明によれば、調節ネジとネジ孔がスライドフレームのスライド方向に沿って平行に設けられていることにより、吊下具をパーティションボードなどの被取付部位に取り付けてから調節ネジを締め付けることができ、スライドフレームとベースフレームで被取付部材を強固に挟んで固定できる。
【００１５】
請求項２に記載の発明によれば、調節ネジのツマミ部がベースフレームのフック面に設けられていることにより、高所に取り付けた場合であっても、簡単に取り付け・取り外しができる。
【００１６】
請求項３に記載の発明によれば、他方のスライドレールを覆い隠すカバーを備えていることにより、パーティションボードに取り付けたときの見映えが良くなる。
【００１７】
請求項４に記載の発明によれば、ベースフレームの被取付部位に対向する面および／またはスライドフレームの被取付部位に対向する面にクッション性を有する緩衝材を設けたことにより、ジョイント部に集中する吊下応力を緩衝材で分散することができる。
【発明を実施するための最良の形態】
【００１８】
次に、本発明の実施形態について図面を参照しながら説明する。図１は本発明の一実施形態に係る吊下具の正面側斜視図であり、図２はその背面側斜視図である。図３（ａ）は、吊下具の正面図であり、図３（ｂ）は左側面図である。また図４は、吊下具の正面図中央縦断面図である。
【００１９】
図１に示すように、この吊下具１は、前面に吊下用のフック２を有するベースフレーム１０と、同ベースフレーム１０に沿ってスライド可能に取り付けられるスライドフレーム２０とを備えている。
【００２０】
図４および５に示すように、ベースフレーム１０は、前面にフック２を有し、鉛直方向に延在するフック支持部１１と、同フック支持部１１の一端からほぼ直角に折り曲げられ、水平方向に延在する基部１２とを有し、それらはともにＬ字型に一体形成されている。
【００２１】
ベースフレーム１０の内部には、補強用のＬ字型の金属プレート１３が設けられており、この金属プレート１３にフック２が取り付けられている。本発明において、フック２の構造は任意的事項であるため、説明は省略する。金属プレート１３の表面は合成樹脂製の化粧カバー１４によって覆われている。
【００２２】
フック支持部１１の上端側（図５参照）には、調節ネジ３０が挿入される差込孔１５が表面から内部に向かって貫通して設けられており、この差込孔１５に調節ネジ３０が先端から基部１４の内部に向かって水平に差し込まれている。
【００２３】
調節ネジ３０は、所定ピッチでねじ山が形成された雄ねじからなり、後端（図５では左端）には、調節ネジ３０を手で操作するためのツマミ部３１が設けられている。調節ネジ３０のツマミ部３３は、フック支持部１１のフック取付面（図５では左側面）に設けられている。
【００２４】
これによれば、吊下具１を背の高いパーティションボードに取り付けた場合であっても、調節ネジ３０が正面（フック支持部１１の表面）に表れることにより、簡単に吊下具の操作ができ、取付・取外作業が容易になる。
【００２５】
再び図４および図５を参照して、基部２０の内部には、スライドフレーム２０が差し込まれるスライド溝１６が基部２０の延在方向に沿って平行に設けられている。
【００２６】
図６（ａ）に示すように、スライド溝１６は、スライドフレーム２０の各スライドレール２１，２２が差し込み可能な断面コ字状に形成されており、このスライド溝１６に沿ってスライドフレーム２０が差し込まれる。調節ネジ３０の雄ねじはスライド溝１６内に収納されている。
【００２７】
図４，５を参照して、スライドフレーム２０は、短尺な第１スライドレール２１と長尺な第２スライドレール２２とを直角に組み合わせたＬ字型フレームからなる。第１スライドレール２１は、先端がベースフレーム１０のガイド溝１６に沿って差し込み可能に形成されており、内部には調節ネジ３０がねじ込まれる第１固定部材２３が設けられている。
【００２８】
第１固定部材２３は、第１スライドレール２１内に埋設された金属製のナットからなり、第１スライドレール２１の先端側に一体的に固定されている。第１固定部材２３には、調節ネジ３０の雄ねじが螺合される第１雌ねじ孔２４が設けられている。
【００２９】
第１雌ねじ孔２４は、第１スライドレール２１の先端に向かって開放されており、その中心軸がスライドフレーム２０のスライド軸に沿って平行になるように形成されている。
【００３０】
図４に示すように、この第１スライドレール２１の反先端部（図５では右端部）には、後述するカバー部材４０の係止凸部４３が係止される係止溝２７が一体的に設けられている。
【００３１】
第２スライドレール２２は第１スライドレール２１と実質的に同じ長さであるが、第２スライドレール２２には、延長部２９が設けられており、この延長部２９の長さ分だけ、この例では１８ｍｍ、全体が長く形成されている。第２スライドレール２２の内部には調節ネジ３０がねじ込まれる第２固定部材２５が埋設されている。
【００３２】
第２固定部材２５は、第１スライドレール２１内に埋設された金属製のナットからなり、第２スライドレール２２の先端側に一体的に固定されている。第２固定部材２５には、調節ネジ３０の雄ねじが螺合される第２雌ねじ孔２６が設けられている。
【００３３】
第２雌ねじ孔２６は、第１スライドレール２１の先端に向かって開放されており、その中心軸がスライドフレーム２０のスライド軸に沿って平行になるように形成されている。なお、図５では鉛直方向に沿って形成されている。
【００３４】
図５に示すように、この第２スライドレール２２の反先端部（図５では上端部）には、後述するカバー部材４０の係止凸部４３が係止される係止溝２８が一体的に設けられている。
【００３５】
スライドフレーム２０には、一方のスライドレール（第１スライドレール２１とした場合）がベースフレーム１０に差し込まれているときに、他方のスライドレール（第２スライドレール２２）を覆い隠すためのカバー部材４０が設けられている。
【００３６】
図５および図６（ａ）に示すように、カバー部材４０は、合成樹脂の成型品からなり、各スライドレール２１，２２に沿って差し込まれる断面コ字状のスライド溝４１を備えている。
【００３７】
カバー部材４０の先端（図５では上端）には、カバー部材４０を各スライドレール２１，２２に固定するための係止部４２が設けられている。係止部４２は、カバー部材４０に一体形成された弾性変形可能な係止片からなり、先端に各係止溝２７，２８に係止される係止凸部４３が突設されている。
【００３８】
係止部４２にはさらに、係止凸部４３と係止溝２７，２８との係止状態を解除するための解除ボタン４４が突設されており、この解除ボタン４４を下に押すことにより、係止凸部４３と係止溝２７，２８の係止状態を解除できるようになっている。
【００３９】
再び図４および図５を参照して、スライドフレーム２０の内周面（被取付部と対向する面、この例では下面と左側面）には、クッション性を有する緩衝材５０が設けられている。この例において、緩衝材５０は発泡ウレタンシートからなり、吊下具１の荷重を加えた際にベースフレーム１０とスライドフレーム２０のジョイント部に係る応力を分散できるようになっている。
【００４０】
この例において、緩衝材５０は、スライドフレーム２０の内周面にのみ設けられているが、より好ましくは、ベースフレーム１０の被取付部と対向する面に設けてもよい。また、この例では、緩衝材５０は発泡ウレタンシートが用いられているが、衝撃吸収性が得られる材質であれば、仕様に応じて任意に選択可能である。
【００４１】
次に、図６（ａ），（ｂ）および図７（ａ），（ｂ）を参照して、この吊下具１の使用手順の一例について説明する。吊下具１を設置するに先立ち、被取付部となるパーティションボードＰの頂部の板幅に応じて吊下具１を組み立てる。
【００４２】
図７（ａ）に示すように、薄い板幅Ｔ１のパーティションボードＰに取り付ける場合は、まず、図６（ａ）に示すように、スライドフレーム２０の短尺な第１スライドレール２１をベースフレーム１０の基部１２のガイド溝１６に沿って差し込む。
【００４３】
このとき、第１スライドレール２１の先端に開口された雌ねじ孔２４に調節ネジ３０を差し込み、ツマミ部３１を時計回りに回転させてゆくことにより、調節ネジ３０が第１スライドレール２１の内部に引き込まれコ字型の吊下具１が完成する。併せて、他方の第２スライドレール２２にカバー部材４０を取り付ける。
【００４４】
この状態において、図６（ａ）に示すように、吊下具１をパーティションボードＰの頂部と側部にかけて跨るように取り付け、調節ネジ２３０を時計回りに操作することにより、ベースフレーム１０とスライドフレーム２０の間の面間距離が徐々に狭まってゆき、パーティションボードＰに完全に挟まれた状態で取付作業が完了する。
【００４５】
図７（ｂ）に示すように、板幅Ｔ２が広いパーティションボートＰに取り付ける場合は、図６（ｂ）に示すように、同様の手順で長尺な第２スライドレール２２をベースフレーム１０に取り付け、カバー部材４０を第１スライドレール２１に取り付ければよい。
【００４６】
この状態において、フック２に物を吊り下げることができ、仮に大きな荷重をフック２に加えたとしても、ベースフレーム１０とスライドフレーム２０とのジョイント部分に応力が緩衝材５０によって分散されることにより、ジョイント部がくの字に折れ曲がって、脱落しない。
【００４７】
この吊下具１の取り外しは至って簡単で、調節ネジ３０を反時計方向に回転させることで、スライドフレーム２０が後退して、吊下具１が緩み、吊下具１を上に持ち上げるだけで簡単にパーティションボードＰから取り外すことができる。
【００４８】
この例において、被取付部はパーティションボードＰに取り付ける例について説明したが、本発明の吊下具１は、板状の壁部材の頂部に跨ぐようにして取り付けられるものであれば、取付位置は特に問わない。すなわち、衝立や机、本棚などの一部に取り付けることもできる。
【００４９】
また、この例において、調節ネジ３０はベースフレーム１０側に設けられており、これに対し、スライドフレーム２０には雌ねじ孔２７，２８が設けられているが、スライドフレーム２０のスライド方向に沿って平行に調節ネジ３０が設けられていればよく、スライドフレーム２０側に調節ネジ３０を設けて、ベースフレーム１０側に調節ネジ３０に対応する雌ねじ孔を形成してもよい
【図面の簡単な説明】
【００５０】
【図１】本発明の一実施形態に係る吊下具を正面側から見た斜視図。
【図２】本発明の一実施形態に係る吊下具の背面側から見た斜視図。
【図３】（ａ）吊下具の正面図、（ｂ）吊下具の側面図。
【図４】吊下具の正面中央縦断面図。
【図５】吊下具の分解断面図。
【図６】（ａ）短尺な第１スライドレールの取付手順を説明する説明図，（ｂ）長尺な第２スライドレールの取付手順を説明する説明図。
【図７】（ａ）第１スライドレールを使用した場合の取付態様を説明する説明図，（ｂ）第２スライドレールを使用した場合の取付態様を説明する説明図。
【符号の説明】
【００５１】
１  吊下具
２  フック
１０  ベースフレーム
１１  フック支持部
１２  基部
１６  スライド溝
２０  スライドフレーム
２１  第１スライドレール（短尺）
２２  第２スライドレール（長尺）
２３，２５  固定部材
２４，２６  雌ねじ孔
２７，２８  係止溝
３０  調節ネジ
３１  ツマミ部
４０  カバー部材
Ｐ  パーティションボード
【図１】
2008048814.tif 000003
【図２】
2008048814.tif 000004
【図３】
2008048814.tif 000005
【図４】
2008048814.tif 000006
【図５】
2008048814.tif 000007
【図６】
2008048814.tif 000008
【図７】
2008048814.tif 000009